(57)【要約】【課題】本発明は、複数のプラグ差込口のある外付けコンセントについて、床に放置させないようにすることで室内の雑然とした感じを解消できるようにし、さらには、壁面や柱面に据え付けた既設コンセントに対する導電プラグ栓刃の差込安定性が得られるようにする。【解決手段】本発明の外付けコンセント１０は、複数のプラグ差込口１４を有する電気絶縁性の合成樹脂でなる筐体１３にダミープラグ栓刃１３ｅを一体成形した。このダミープラグ栓刃１３ｅは既設コンセントのプラグ差込口に差込むことができる。これによって外付けコンセント１０を床に放置させずに済み、雑然とした感じを解消できる。【選択図】    図１
2004273165.tif 000002
【特許請求の範囲】
【請求項１】
複数のプラグ差込口を有する筐体に、電気絶縁性のダミープラグ栓刃を少なくとも１つ設けた外付けコンセント。
【請求項２】
ダミープラグ栓刃を筐体の面方向でスライド可能に取付けた請求項１記載の外付けコンセント。
【請求項３】
ダミープラグ栓刃の収納凹部を筐体に形成した請求項１又は請求項２記載の外付けコンセント。
【請求項４】
ダミープラグ栓刃を収納凹部に対して倒立可能に取付けた請求項３記載の外付けコンセント。
【請求項５】
ダミープラグ栓刃を回転可能に取付けた請求項１又は請求項２記載の外付けコンセント。
【請求項６】
ダミープラグ栓刃には、対をなす栓刃部と栓刃部どうしを基端側で繋ぐ基部が形成されており、筐体には、各栓刃部に対応するスライド孔が貫通形成されており、栓刃部を筐体の内面側からスライド孔に挿通させて、ダミープラグ栓刃をスライド可能に取付けた請求項１〜請求項５何れか１項記載の外付けコンセント。
【請求項７】
ダミープラグ栓刃には、対をなす栓刃部と栓刃部どうしを基端側で繋ぐ基部が形成されており、筐体には、栓刃部の収納凹部が形成されており、基部を回動中心として栓刃部を収納凹部に対して倒立可能に取付けた請求項１〜請求項６何れか１項記載の外付けコンセント。
【請求項８】
スライド孔を筐体裏面から覆う蓋体を設けた請求項６又は請求項７記載の外付けコンセント。
【請求項９】
建物の壁や柱に据付けた既設コンセントに接続可能な導電プラグ栓刃を、ダミープラグ栓刃に併設した請求項１〜請求項８何れか１項記載の外付けコンセント。
【発明の詳細な説明】
【０００１】
【発明の属する技術分野】
この発明は、建物の壁や柱などに据付けたコンセント（本明細書で「既設コンセント」という）のプラグ差込口を増口するために使用される、複数の電気機器の電源プラグを接続可能なコンセント（本明細書において「外付けコンセント」という）に関する。
【０００２】
【従来の技術】
建物の壁や柱などの既設コンセントとしては、２つ又は３つ程度のプラグ差込口を設けたものが通常である。したがって、それでは足りない場合には、複数のプラグ差込口を有する外付けコンセントを利用すると便利である。
【０００３】
【発明が解決しようとする課題】
ところが、便利な一方で、外付けコンセントは床などに放置されるのが通常であり、そのため室内に雑然とした印象を与えてしまう、という問題がある。
【０００４】
また、外付けコンセントの中には、コードを介さずに既設コンセントに差込むための導電プラグ栓刃を筐体から突出させたプラグ一体型の外付けコンセントがある。この外付けコンセントについては、複数の電源プラグを差込ませた状態で、導電プラグ栓刃を既設コンセントに差込ませるのが通常である。よって、この場合、プラグ一体型の外付けコンセントは、既設コンセントへの接続状態において床から浮いた格好となる。したがって、複数の電源プラグやコードによる荷重とその差込みを受ける外付けコンセントの自重が、既設コンセントに差込ませた導電プラグ栓刃の差込部分に掛かってしまう。このため導電プラグ栓刃が既設コンセントと正しく接続されなかったり、差込みが外れて落下するおそれがある、という問題がある。
【０００５】
以上のような複数のプラグ差込口のある従来の外付けコンセントを背景としてなされたのが本発明の外付けコンセントである。その目的は、外付けコンセントを床に放置させなくて済むようにすることにある。また、他の目的は、プラグ一体型の外付けコンセントについて、既設コンセントに対する導電プラグ栓刃の差込安定性を得ることにある。
【０００６】
【課題を解決するための手段】
上記目的を達成すべく本発明は、複数のプラグ差込口を有する筐体に、電気絶縁性のダミープラグ栓刃を少なくとも１つ設けた外付けコンセントを提供する。これによれば、既設コンセントにダミープラグ栓刃を差込ませることができるため、床に放置させなくて済む分、室内の雑然とした感を緩和できる。
【０００７】
上記ダミープラグ栓刃は、筐体と一体成形したものとして構成できる。こうした一体成形は、射出成形のような合成樹脂の成形加工により行うことができる。一方、筐体とは別体に形成し、筐体に取付けたものでも良い。また、既設コンセントにプラグ差込口が複数ある場合には、それに対応する複数のダミープラグ栓刃を設ける構成としてもよい。これによれば、ダミープラグ栓刃の差込安定性つまり既設コンセントに対する本発明に係る外付けコンセントを更に安定して保持することができる。更に、上記ダミープラグ栓刃は、漏電しないと通常考えられるという意味での電気絶縁性を有するものであればよく、たとえば電気絶縁性の合成樹脂を使用できる。そして、上記ダミープラグ栓刃は、筐体の外面を形成する各面のうち、他の面との面積の大小差に拘わらず既設コンセントと対向させる面に設けるものとして構成できる。
【０００８】
上記外付けコンセントは、ダミープラグ栓刃を筐体の面方向でスライド可能に取付けたものとして構成できる。これによれば、例えば床からの既設コンセントの高さ位置が低くても、スライド可能なダミープラグ栓刃の高さ位置をそれに合わせて調整できる。更にこの外付けコンセントについては、ダミープラグ栓刃を複数設け、そのうちの何れかを固定栓刃とし、他の何れかをスライド可能な可動栓刃として構成できる。これによれば、可動栓刃をスライドさせて固定栓刃に対する間隔を自在に調整できるので、既設コンセントごとに複数あるプラグ差込口どうしの間隔がまちまちであっても、それに合わせてダミープラグ栓刃を差込み可能である。このことは固定栓刃が既設コンセントに差込ませる導電プラグ栓刃とした場合でも同じである。したがって、固定栓刃に換えて導電プラグ栓刃として構成してもよく、この場合には導電プラグ栓刃の差込安定性を得ることもできる。
【０００９】
上記外付けコンセントは、ダミープラグ栓刃の収納凹部を筐体に形成したものとして構成できる。これによれば、不要時にはダミープラグ栓刃が収納凹部に収納されて筐体から突出しないので、邪魔にならない。
【００１０】
上記外付けコンセントは、ダミープラグ栓刃を収納凹部に対して倒立可能に取付けたものとして構成できる。これによれば、ダミープラグ栓刃を倒立させる簡単な操作で容易に収納できて便利である。
【００１１】
上記外付けコンセントは、ダミープラグ栓刃を回転可能に取付けたものとして構成できる。これによれば、ダミープラグ栓刃を既設コンセントのプラグ差込口に差込ませた状態で筐体を回転させることで、既設コンセントに保持した外付けコンセントの姿勢を変更できる。よって、ＡＣアダプタなど電源プラグの種類や差込み方のアンバランスなどに応じて筐体の姿勢を適合させることで、既設コンセントに差込ませたダミープラグ栓刃に無理な負荷が掛からないようにすることができる。なお、この場合、ダミープラグ栓刃は、筐体にフリー回転可能として取付けたものとして構成できる。また、ダミープラグ栓刃は、段階的に停止する回転停止機構を伴って回転可能に取付けたものとして構成できる。
【００１２】
上記外付けコンセントは、ダミープラグ栓刃に、対をなす栓刃部と栓刃部どうしを基端側で繋ぐ基部が形成されており、筐体に、各栓刃部に対応するスライド孔が貫通形成されており、栓刃部を筐体の内面側からスライド孔に挿通させて、ダミープラグ栓刃をスライド可能に取付けたものとして構成できる。ダミープラグ栓刃に基部を形成し、筐体に各栓刃部に対応するスライド孔を形成し、栓刃部を筐体の内面側からスライド孔に挿通させるので、ダミープラグ栓刃はスライド可能であるが筐体から脱離しない。よって、ダミープラグ栓刃の紛失を防ぐことができる。
【００１３】
上記外付けコンセントは、ダミープラグ栓刃に、対をなす栓刃部と栓刃部どうしを基端側で繋ぐ基部を形成するとともに、筐体に、栓刃部の収納凹部を形成し、基部を回動中心として栓刃部を収納凹部に対して倒立可能に取付けたものとして構成できる。これによれば、不要時には栓刃部を回動させるワンタッチ操作で筐体から突出させずに収納凹部に収納できて便利であり、邪魔にならない。また、筐体に、各栓刃部ごとに収納凹部への連通口を有するスライド孔を貫通形成し、栓刃部を筐体の内面側からスライド孔に挿通させたものとしてこの外付けコンセントを構成した場合には、ダミープラグ栓刃に基部を形成し、筐体背面に各栓刃部ごとに収容凹部への連通口を有するスライド孔を貫通形成し、栓刃部を筐体の内面側からスライド孔に挿通させるので、ダミープラグ栓刃がスライド可能で且つ栓刃部が連通口を通じて収納凹部へ回動可能であっても、筐体から脱離しない。よって、ダミープラグ栓刃の紛失を防ぐことができる。
【００１４】
筐体にスライド孔を形成した上記外付けコンセントについては、スライド孔を筐体裏面から覆う蓋体を設けるものとして構成できる。これによれば、スライド孔を通じて塵や埃などの異物の侵入を防ぐことができる。
【００１５】
上記外付けコンセントは、建物の壁や柱に据付けた既設コンセントに接続する導電プラグ栓刃をダミープラグ栓刃に併設したものとして構成できる。これによれば、以上のような本発明の外付けコンセントによる作用・効果を、導電プラグ栓刃を筐体に有する一体型の外付けコンセントについても得ることができる。したがって、既設コンセントに対する導電プラグ栓刃の接続不良を抑制でき、導電プラグ栓刃の差込耐久性を向上できる。
【００１６】
【発明の実施の形態】
以下、本発明の外付けコンセントの実施形態につき図面を参照しつつ説明する。なお、各実施形態で共通する部材については、同一符号を付して重複説明を省略する。
【００１７】
第１実施形態［図１，図２］：  本形態の外付けコンセント１０は、電気絶縁性の合成樹脂で形成された正面カバー１１及び背面カバー１２を有する筐体１３を備えている。筐体１３には、図示しない刃受け金具や導電線などが収納されている。筐体１３の長手側面１３ａには、電気機器の電源プラグＰの栓刃の差込口１４が設けられている。差込口１４の内部には、電源プラグＰの栓刃を受ける刃受けが設けてある。筐体１３の短手側面１３ｂからは電源コード１５が伸長しており、その先端には図示した既設コンセント１６または図外の他のコンセントに接続可能な電源プラグ（図示略）が設けてある。筐体１３の正面１３ｃには差込口１４に対する通電をオン／オフするスイッチ１７が備えてある。
【００１８】
筐体１３の背面１３ｄには、ダミープラグ栓刃１３ｅが突設されている。具体的には、ダミープラグ栓刃１３ｅは、電気絶縁性の合成樹脂でなる背面カバー１２に一体成形したものであり、一般的な導電プラグ栓刃と同様の形状を持つものとして形成されている。したがって、ダミープラグ栓刃１３ｅは、一般的な導電プラグ栓刃と同様に既設コンセント１６の差込口１６ａに差込ませることができる。
【００１９】
以上のような外付けコンセント１０は、図２で示す如く、ダミープラグ栓刃１３ｅを既設コンセント１６の差込口１６ａに差込ませるようにし、図外の電源プラグを既設コンセント１６の差込口１６ａや図外の他のコンセントの差込口に差込ませて使用する。よって既設コンセント１６の差込口１６ａの口数を超える電源プラグを接続できる。また、従来の外付けコンセントは一般的に床に放置されることが多く、室内に雑然とした感を与えてしまうが、本形態の外付けコンセント１０によれば、壁面や柱面といった既設コンセント１６の据付け面１８に沿わせて取付けることができるから、床に放置せずに済み、従来のような室内の雑然感を解消できる。
【００２０】
第２実施形態［図３］：  本形態の外付けコンセント２０は、二分割したカバー２１，２２からなる筐体２３を備えている。この筐体２３における長手側面２３ａには、第１実施形態のダミープラグ栓刃４ｅと同様のダミープラグ栓刃２３ｂが形成されている。具体的には、ダミープラグ栓刃２３ｂは長手側面２３ａをなす各カバー２１，２２にそれぞれ形成されている。また、筐体２３の短手側面２３ｃからは電源コード２４が導出しており、その先端には既設コンセント１６に接続する図外の電源プラグが設けてある。一方、筐体２３の正面２３ａ，２３ｂには、各々４つの差込口が形成され、計８つの電気機器の電源プラグＰを電源接続できる。
【００２１】
したがって、本形態の外付けコンセント２０によれば、筐体２３の上下方向における高さを実施形態１の筐体１３と同程度としながらも、差込口を大幅に増設することができ、且つ第１実施形態の外付けコンセント１０と同様に、既設コンセント１６の据付け面１８に沿わせて取付けることで、床に放置せずに済み、従来の外付けコンセントのような室内の雑然感を解消できる利点がある。
【００２２】
第３実施形態［図４，図５］：  本形態の外付けコンセント３０の概略構成と使用方法は、第１実施形態の外付けコンセント１０と同じであるが、筐体３１の背面カバー３２の長手方向に沿ってダミープラグ栓刃３３ａをスライド可能に構成した点、ダミープラグ栓刃３３ａが筐体３１に対して回転可能である点で異なっている。
【００２３】
すなわち、背面カバー３２には、溝部３２ａが形成され、その内部には溝部３２ａの長手方向にわたって溝内へ内向きに突出するガイド突起３２ｂが形成されている。一方、ダミープラグ栓刃３３ａの基端には円盤状の基部３３ｂが一体成形されており、基部３３ｂにおけるダミープラグ栓刃３３ａの反対側には凹状突起３３ｃが形成されている。この凹状突起３３ｃには、円盤状の基部３４ａを一体成形した取付軸３４ｂが圧入される。この圧入によって、凹状突起３３ｃの内面段部３３ｄと、取付軸３４ｂの外面段部３４ｃとが抜け方向で係合することにより抜け止めされ、且つ凹状突起３３ｃと取付軸３４ｂとは相互にフリー回転可能に保持される。そして、基部３３ｂと基部３４ａは、ガイド突起３２ｂをその厚み方向における両側から挟み込むように組み合わされて、ガイド突起３２ｂの長手方向に沿ってダミープラグ栓刃３３ａをスライド可能としている。
【００２４】
以上のような本形態の外付けコンセント３０によれば、第１実施形態の作用・効果に加えて、例えば床からの既設コンセント１６の高さ位置が低くても、ダミープラグ栓刃３３ａをスライドさせてその高さ位置を調整し、差込ませることができる。また、ダミープラグ栓刃３３ａがフリー回転可能であるため、ダミープラグ栓刃３３ａを既設コンセント１６の差込口１６ａに差込ませた状態で筐体３１を回転させて、既設コンセント１６に取付けた外付けコンセント３０の姿勢を変更できる。よって、外付けコンセント３０が床から離れて取付けられた場合に、ＡＣアダプタなど電源プラグの種類や差込み方のアンバランスなどによってダミープラグ栓刃３３ａに偏って作用する過剰な負荷を軽減できる。更に、凹状突起３３ｃの内面段部３３ｄと、取付軸３４ｂの外面段部３４ｃとが抜け方向で係合することにより抜け止めされて、基部３４ａが背面カバー３２の裏面側からガイド突起３２ｂに対して引っ掛かるので、ダミープラグ栓刃３３ａが背面カバー３２から離脱せず、その紛失も防止できる。
【００２５】
第４実施形態［図６，図５］：  本形態の外付けコンセント４０は、筐体４１の背面カバー４２に、その長手方向に沿ってスライド可能なダミープラグ栓刃４３ａを設けた点で第３実施形態と共通しているが、ダミープラグ栓刃４３ａが回転不能な点と、背面カバー４２から導電プラグ栓刃４４を突出させて備える点とが第３実施形態の外付けコンセント３０と相違している。
【００２６】
すなわち、本形態のダミープラグ栓刃４３ａは、背面カバー４２の溝部４２ａの溝幅に対応する長さの矩形状の基部４３ｂと一体成形されている。この基部４３ｂには、第３実施形態と同じ凹状突起４３ｃが形成されており、ここに矩形状の基部４５ａを一体成形した取付軸４５ｂが保持される。こそして、基部４３ｂ、４５ａにより溝部４２ａ内のガイド突起４２ｂが狭持される。したがって、凹状突起４３ｃと取付軸４５ｂとは、フリー回転可能ではあるが、矩形状の基部４３ｂ，４５ａによってダミープラグ栓刃４３ａの回転は阻止される。なお、断面構造は、第３実施形態のＳＡ−ＳＡ線拡大断面を示す図５と同じである。
【００２７】
したがって、本形態の外付けコンセント４０によれば、ダミープラグ栓刃４３ａのスライドにより導電プラグ栓刃４４との間隔を自在に調整できるので、既設コンセント１６ごとに複数ある差込口１６ａどうしの間隔がまちまちであっても、それに合わせてダミープラグ栓刃４３ａを差込ませることができる。よって、第１実施形態と同様に室内の雑然感を解消することができる。しかも、外付けコンセント４０に差込んだ電源プラグや電源コードの荷重が導電プラグ栓刃４４の差込部分だけに集中せずダミープラグ栓刃４３ａに分散される。よって、既設コンセント１６に対する外付けコンセント４０の取付状態の安定性が得られ、導電プラグ栓刃４４の接続不良を抑制でき、導電プラグ栓刃４４の差込耐久性を向上できる。更に、凹状突起４３ｃに対して取付軸４５ｂが抜け止めされ、基部４５ａが背面カバー４２の裏面側からガイド突起４２ｂに対して引っ掛かるので、ダミープラグ栓刃４３ａが背面カバー４２から離脱せず、その紛失も防止できる。
【００２８】
第５実施形態［図７〜図１１］：  本形態の外付けコンセント５０は、第４実施形態の外付けコンセント４０を更に改良したものである。すなわち、この外付けコンセント５０についても、筐体５１の背面カバー５２に導電プラグ栓刃５３を突出して備えている。第４実施形態との相違点は、ダミープラグ栓刃５４が背面カバー５２に収納できるようになっている点である。
【００２９】
具体的には、本形態のダミープラグ栓刃５４には、図８で示すように、栓刃部５４ａと栓刃部５４ａどうしを繋ぐ基部５４ｂが形成されている。基部５４ｂには、その長手方向の両端と中間に突起５４ｃ，５４ｄが形成されている。
【００３０】
一方、背面カバー５２の裏面には、図８で示すように、周壁５２ａが形成されている。周壁５２ａの内側にはその長手方向に沿って一段低い段部５２ｂが形成されており、ここでダミープラグ栓刃５４の突起５４ｃのスライドを受けるようになっている。そして更に段部５２ｂの内側には、ダミープラグ栓刃５４を挿通するスライド孔５２ｃが貫通形成されている。このスライド孔５２ｃの収容凹部５２ｄ側には、背面カバー５２の表面に形成した収容凹部５２ｄに通じる連通口５２ｅが貫通形成されている。また、背面カバー５２には、四角い孔部５２ｆが形成されている。５２ｇは、蓋体５５に形成した取付孔５５ａに挿通させるボスである。
【００３１】
蓋体５５にも周壁５５ｂが形成されており、その内周面形状は、背面カバー５２の周壁５２ａの外周面形状と相対形状となっている。よって、蓋体５５は、図８で示す状態から天地を逆にすれば、背面カバー５２の周壁５２ａの外側に嵌り込むようになっている。これによって、ダミープラグ栓刃５４が外れず、筐体５１の内部が防塵される。
【００３２】
ここで、ダミープラグ栓刃５４の動作を説明する。なお、図９〜図１１は蓋体５５を省略しているが、実際には蓋体５５を取付けた内側で次のような動作がなされる。ダミープラグ栓刃５４は、図９で示すように、栓刃部５４ａが背面カバー５２のスライド孔５２ｃに挿通された状態とされる。この状態では、ダミープラグ栓刃５４はスライド孔５２ｃを長手方向に沿って自在にスライドできる。なお、この位置でダミープラグ栓刃５４を回動させようとしても、基部５４ｂが蓋体５５の内面と当接し、且つ基部５４ｂの突起５４ｄが背面カバー５２の裏面に対して突っ掛かってしまうため回動不能である。そして、ダミープラグ栓刃５４を収容凹部５２ｄに収容するには、図１０で示す位置まで、ダミープラグ栓刃５４をスライドさせてから、栓刃部５４ａを回動させる。すると、ダミープラグ栓刃５４の基部５４ｂの突起５４ｄは、背面カバー５２の孔部５２ｆの孔内へ入り込んでいき、このまま回動し続けていくと栓刃部５４ａが連通口５２ｅに入り込んで倒れる。こうしてダミープラグ栓刃５４は、図１１で示すように、収容凹部５２ｄに倒して収容することができる。そして、栓刃部５４ａを起こして、ダミープラグ栓刃５４を図１０で示す位置からスライドさせれば、既設コンセント１６に対して接続可能となる。
【００３３】
以上のように本形態の外付けコンセント５０によれば、第４実施形態と同様の作用・効果つまりダミープラグ栓刃５４のスライドにより導電プラグ栓刃５３との間隔調整が可能で、導電プラグ栓刃５３の差込部分だけでなくダミープラグ栓刃５４にも荷重を分散でき、ダミープラグ栓刃５４の基部５４ｂによって背面カバー５２の脱離が防止される。これに加えて、ダミープラグ栓刃５４の不使用時には、それを収容凹部５２ｄに収容できるので、邪魔にならない。更に、蓋体５５が背面カバー５２の裏面からスライド孔５２ｃや連通口５２ｅを覆うので、塵や埃などの異物の侵入を防ぐことができる。
【００３４】
実施形態の変更例：  以上のような第１実施形態〜第５実施形態の外付けコンセントについては、例えば以下のような変更が可能である。
【００３５】
変更例１：  第１実施形態については、外付けコンセント１０のダミープラグ栓刃１３ｅを、第３実施形態のダミープラグ栓刃３３ａのように回転可能に構成してもよい。
【００３６】
変更例２：  第２実施形態については、長手側面２２ａに第２実施形態〜第５実施形態の構成を適用してもよい。
【００３７】
変更例３：  第３実施形態のダミープラグ栓刃３３ａは、フリー回転可能としたが、段階的に停止する回転停止機構を伴って回転可能に取付けたものとして構成できる。
【００３８】
変更例４：  第３実施形態については、ダミープラグ栓刃３３ａを可動栓刃とし、他のダミープラグ栓刃として移動不能な固定栓刃を設けるようにしてもよい。
【００３９】
変更例５：  第４実施形態については、導電プラグ栓刃４４をダミープラグ栓刃（固定栓刃）としてもよい。
【００４０】
【発明の効果】
本発明の外付けコンセントによれば、ダミープラグ栓刃を既設コンセントに差込ませることで、従来の外付けコンセントのごとく床に放置させずに済み、室内の雑然とした印象を緩和することができる。また、プラグ一体型の本発明の外付けコンセントによれば、既設コンセントに対して導電プラグ栓刃だけでなくダミープラグ栓刃も差込ませることができるので、本発明の外付けコンセントに接続した電源プラグやコードの荷重を分散支持でき、既設コンセントに対する接続安定性が得られる。
【図面の簡単な説明】
【図１】第１実施形態による外付けコンセントの背面斜視図。
【図２】図１の外付けコンセントの既設コンセントに対する取付状態を示す外観斜視図。
【図３】第２実施形態による外付けコンセントの既設コンセントに対する取付状態を示す外観斜視図。
【図４】第３実施形態による外付けコンセントの背面斜視図。
【図５】図４のＳＡ−ＳＡ線拡大断面図。
【図６】第４実施形態による外付けコンセントの背面斜視図。
【図７】第５実施形態による外付けコンセントの背面斜視図。
【図８】図７の外付けコンセントの背面カバーの裏面に対するダミープラグ栓刃の組付け状態を示す分解斜視図。
【図９】第５実施形態によるダミープラグ栓刃の動作説明図。
【図１０】第５実施形態によるダミープラグ栓刃の動作説明図。
【図１１】第５実施形態によるダミープラグ栓刃の動作説明図。
【符号の説明】
１０    外付けコンセント（第１実施形態）
１３    筐体
１３ｅ    ダミープラグ栓刃
１４    差込口
１６    既設コンセント
１６ａ    差込口
２０    外付けコンセント（第２実施形態）
２３    筐体
２３ｂ    ダミープラグ栓刃
３０    外付けコンセント（第３実施形態）
３１    筐体
３２ａ    溝部
３３ａ    ダミープラグ栓刃
３３ｂ    基部
４０    外付けコンセント（第４実施形態）
４１    筐体
４２ａ    溝部
４３ａ    ダミープラグ栓刃
４３ｂ    基部
４４    導電プラグ栓刃
５０    外付けコンセント（第５実施形態）
５１    筐体
５２ｃ    スライド孔
５２ｄ    収容凹部
５２ｅ    連通口
５３    導電プラグ栓刃
５４    ダミープラグ栓刃
５４ａ    栓刃部
５４ｂ    基部
５５    蓋体
【図１】
2004273165.tif 000003
【図２】
2004273165.tif 000004
【図３】
2004273165.tif 000005
【図４】
2004273165.tif 000006
【図５】
2004273165.tif 000007
【図６】
2004273165.tif 000008
【図７】
2004273165.tif 000009
【図８】
2004273165.tif 000010
【図９】
2004273165.tif 000011
【図１０】
2004273165.tif 000012
【図１１】
2004273165.tif 000013